(57)【要約】【課題】色調などの映像調整に慣れていない場合であっても簡単に所望する調整がされた画像を投影させることができるようにする。【解決手段】データプロジェクタ装置３は、映像調整の対象とする項目を含むメニューを投影してユーザにより指定させる。キースイッチ部６９から項目の指定を入力すると、制御部６６は、画像変換部５３に対して、この指定された項目に対応する映像調整を、ＲＡＭ７１に記憶された投影対象とする画像に対して異なる調整レベルで施した複数の画像を生成させる。そして、この生成された複数の画像を一覧にして投影させる。制御部６６は、この画像一覧中からユーザが何れかを指定すると、この指定された画像に対して施された映像調整を投影対象とする画像に対して施して投影する。【選択図】      図１
2006293087.tif 000002
【特許請求の範囲】
【請求項１】
映像調整機能を有する映像投射装置において、
映像調整の対象とする項目を選択する項目選択手段と、
前記項目選択手段によって選択された項目に対応する映像調整を、投影対象とする画像に対して異なる調整レベルで施した複数の画像を生成する画像生成手段と、
前記画像生成手段によって生成された複数の画像を一覧にして投影する画像一覧投影手段と、
前記画像一覧投影手段により投影された複数の画像から何れかを選択する画像選択手段と、
前記画像選択手段により選択された画像に対して施された映像調整を前記投影対象とする画像に対して施して投影する調整画像投影手段と
を具備したことを特徴とする映像投射装置。
【請求項２】
前記対象項目には、複数の基本色を含み、
前記画像生成手段は、選択された基本色の調整レベルが異なる色調整した複数の画像を生成することを特徴とする請求項１記載の映像投射装置。
【請求項３】
前記対象項目には、明るさを含み、
前記画像生成手段は、明るさを変更した複数の画像を生成することを特徴とする請求項１記載の映像投射装置。
【請求項４】
前記画像選択手段によって選択された画像に対する色調変更の内容を設定する設定手段と、
前記設定手段により設定された色調調整の設定に応じて画像を投影する画像投影手段と
を具備したことを特徴とする請求項１記載の映像投射装置。
【請求項５】
映像調整機能を有する映像投射装置の映像調整方法において、
映像調整の対象とする項目を選択する項目選択工程と、
前記項目選択工程によって選択された項目に対応する映像調整を、投影対象とする画像に対して異なる調整レベルで施した複数の画像を生成する画像生成工程と、
前記画像生成工程によって生成された複数の画像を一覧にして投影する画像一覧投影工程と、
前記画像一覧投影工程により投影された複数の画像から何れかを選択する画像選択工程と、
前記画像選択工程により選択された画像に対して施された映像調整を前記投影対象とする画像に対して施して投影する調整画像投影工程と
を有したことを特徴とする映像投射装置。
【請求項６】
映像調整機能を有する映像投射装置に搭載されたコンピュータを、
映像調整の対象とする項目を選択する項目選択手段と、
前記項目選択手段によって選択された項目に対応する映像調整を、投影対象とする画像に対して異なる調整レベルで施した複数の画像を生成する画像生成手段と、
前記画像生成手段によって生成された複数の画像を一覧にして投影する画像一覧投影手段と、
前記画像一覧投影手段により投影された複数の画像から何れかを選択する画像選択手段と、
前記画像選択手段により選択された画像に対して施された映像調整を前記投影対象とする画像に対して施して投影する調整画像投影手段として機能させるための映像調整プログラム。
【請求項７】
映像調整機能を有する映像出力装置において、
映像調整の対象とする項目を選択する項目選択手段と、
前記項目選択手段によって選択された項目に対応する映像調整を、投影対象とする画像に対して異なる調整レベルで施した複数の画像を生成する画像生成手段と、
前記画像生成手段によって生成された複数の画像を一覧にした画像を出力する画像一覧出力手段と、
前記画像一覧出力手段により出力された複数の画像から何れかを選択する画像選択手段と、
前記画像選択手段により選択された画像に対して施された映像調整を前記投影対象とする画像に対して施して出力する調整画像出力手段と
を具備したことを特徴とする映像出力装置。
【発明の詳細な説明】
【技術分野】
【０００１】
本発明は、色調や明るさなどの調整機能を有するプロジェクタなどの映像投射装置、同映像投射装置の映像調整方法、映像調整プログラム、及び映像投射装置によって投影させる画像を出力する映像出力装置に関する。
【背景技術】
【０００２】
従来、プロジェクタなどの映像投射装置には、その使用環境に応じて投影される画像の色調を調整する機能が設けられている。例えば、投影するスクリーンや壁の色、照明環境、ランプの状態などによって、投影映像によって紹介しようとする画像資料や商品の色の色味が実物と微妙に違う場合があり、これらの色味の違いを調整できるようにするためである。
【０００３】
例えば、医療カンファレンスにおける臓物や血の色、商品紹介における生鮮食料品、洋服、車などの色、学校での理科の授業におけるリトマス試験紙の色など、映像投影装置を用いて投射される画像を実物と同じ色として認識できるように色調整が必要となる状況は多い。
【０００４】
従来では、映像投影装置における色調を調整する機能として、色調整バーを用いて観測者の好みによる任意の色の調整を行うものがある（例えば、特許文献１）。特許文献１に記載された映像投影装置では、予め記憶されている基準画像及び同基準色画像のパラメータ（輝度、色相又は飽和度のうちの少なくとも一つ）が異なる複数種類の色画像をスクリーン投影する。そして、観測者の目視による判定に基づいて色画像から基準色画像に最も近い色画像を選択させ、さらに色画像を基準色画像とし、複数の色調整バーを用いて観測者の好みによる任意の色の微調整を実行させることで、色調整された映像信号に基づく映像をスクリーンへ投射させている。
【特許文献１】特開２００４−１５５２２号公報
【発明の開示】
【発明が解決しようとする課題】
【０００５】
このように特許文献１に記載された従来の映像投射装置では、基準画像を観測者が選択し、この基準画像の色を調整するために複数の色調整バーを表示し、この色調整バーに対する操作により色の微調整をしていた。
【０００６】
このため基準画像に対しては、観測者が意図した色に調整することができるが、スクリーンに投影しようとする実際の画像で用いられている色が意図したように調整されるかわからない。また、複数の色調整バーを個々に操作し、その複数の色調整バーによる調整の組み合わせにより色調整をしなければならず、この複雑で技術を要する操作に慣れていない観測者の場合には、最適な色調整をすることが困難となっていた。
【０００７】
本発明の課題は、色調などの映像調整に慣れていない場合であっても簡単に所望する調整がされた画像を投影させることが可能な映像投射装置、映像投射装置の映像調整方法、映像調整プログラム、及び映像出力装置を提供することにある。
【課題を解決するための手段】
【０００８】
請求項１記載の発明は、映像調整機能を有する映像投射装置において、映像調整の対象とする項目を選択する項目選択手段と、前記項目選択手段によって選択された項目に対応する映像調整を、投影対象とする画像に対して異なる調整レベルで施した複数の画像を生成する画像生成手段と、前記画像生成手段によって生成された複数の画像を一覧にして投影する画像一覧投影手段と、前記画像一覧投影手段により投影された複数の画像から何れかを選択する画像選択手段と、前記画像選択手段により選択された画像に対して施された映像調整を前記投影対象とする画像に対して施して投影する調整画像投影手段とを具備したことを特徴とする。
【０００９】
請求項２記載の発明は、請求項１記載の発明において、前記対象項目には、複数の基本色を含み、前記画像生成手段は、選択された基本色の調整レベルが異なる色調整した複数の画像を生成することを特徴とする。
【００１０】
請求項３記載の発明は、請求項１記載の発明において、前記対象項目には、明るさを含み、前記画像生成手段は、明るさを変更した複数の画像を生成することを特徴とする。
【００１１】
請求項４記載の発明は、請求項１記載の発明において、前記画像選択手段によって選択された画像に対する色調変更の内容を設定する設定手段と、前記設定手段により設定された色調調整の設定に応じて画像を投影する画像投影手段とを具備したことを特徴とする。
【００１２】
請求項５記載の発明は、映像調整機能を有する映像投射装置の映像調整方法において、映像調整の対象とする項目を選択する項目選択工程と、前記項目選択工程によって選択された項目に対応する映像調整を、投影対象とする画像に対して異なる調整レベルで施した複数の画像を生成する画像生成工程と、前記画像生成工程によって生成された複数の画像を一覧にして投影する画像一覧投影工程と、前記画像一覧投影工程により投影された複数の画像から何れかを選択する画像選択工程と、前記画像選択工程により選択された画像に対して施された映像調整を前記投影対象とする画像に対して施して投影する調整画像投影工程とを有したことを特徴とする。
【００１３】
請求項６記載の発明は、映像調整機能を有する映像投射装置に搭載されたコンピュータを、映像調整の対象とする項目を選択する項目選択手段と、前記項目選択手段によって選択された項目に対応する映像調整を、投影対象とする画像に対して異なる調整レベルで施した複数の画像を生成する画像生成手段と、前記画像生成手段によって生成された複数の画像を一覧にして投影する画像一覧投影手段と、前記画像一覧投影手段により投影された複数の画像から何れかを選択する画像選択手段と、前記画像選択手段により選択された画像に対して施された映像調整を前記投影対象とする画像に対して施して投影する調整画像投影手段として機能させることを特徴とする。
【００１４】
請求項７記載の発明は、映像調整機能を有する映像出力装置において、映像調整の対象とする項目を選択する項目選択手段と、前記項目選択手段によって選択された項目に対応する映像調整を、投影対象とする画像に対して異なる調整レベルで施した複数の画像を生成する画像生成手段と、前記画像生成手段によって生成された複数の画像を一覧にした画像を出力する画像一覧出力手段と、前記画像一覧出力手段により出力された複数の画像から何れかを選択する画像選択手段と、前記画像選択手段により選択された画像に対して施された映像調整を前記投影対象とする画像に対して施して出力する調整画像出力手段とを具備したことを特徴とする。
【発明の効果】
【００１５】
請求項１，５，６記載の発明によれば、映像調整の対象として選択された項目、例えば基本色や明るさ（明るい、暗い）などに対応する映像調整を、投影対象とする元の画像に対して異なる調整レベルで施した複数の画像を生成して投影するので、各調整レベルにより調整された画像がその使用環境下でどのように投影されるかを、実際に投影された画像から確認して選択することができる。従って、調整操作に慣れていないユーザであっても簡単に使用環境に合った所望する映像調整された画像を投影させることができる。
【００１６】
請求項２記載の発明によれば、請求項１の発明の効果に加えて、対象項目として複数の基本色、例えばレッド、シアン、グリーン、マゼンタ…などを含め、これらの基本色の何れかを選択させることで、この選択された基本色を調整した複数の画像を投影させて選択することができるので、簡単に所望する色調調整された画像を投影させることができる。
【００１７】
請求項３記載の発明によれば、請求項１の発明の効果に加えて、対象項目として画像の明るさ（明るい、暗い）を含め、明るさの調整レベルを調整した複数の画像を投影させて選択することができるので、簡単に所望する明るさが調整された画像を投影させることができる。
【００１８】
請求項４記載の発明によれば、請求項１の発明の効果に加えて、複数の画像から所望する映像調整が施された画像を選択することで、この選択された画像に対する映像調整の内容が設定されるので、その後、同じ使用環境で画像を投影する場合にそこの設定内容を用いて映像調整を施して投影することができる。従って、使用するたびに映像調整の作業を行う必要がなくなる。
【００１９】
請求項７記載の発明によれば、映像投射装置によって投影される画像を出力する映像出力装置、例えば画像を撮影するカメラ装置や投影対象とする画像を扱うアプリケーションを実行するパーソナルコンピュータなどの情報装置において、映像調整の対象として選択された項目、例えば基本色や明るさ（明るい、暗い）などに対応する映像調整を、投影対象とする元の画像に対して異なる調整レベルで施した複数の画像を生成して出力し、映像投射装置によって投影させるので、各調整レベルにより調整された画像がその使用環境下でどのように投影されるかを、実際に投影された画像から確認して選択することができる。従って、調整操作に慣れていないユーザであっても簡単に使用環境に合った所望する映像調整された画像を投影させることができる。
【発明を実施するための最良の形態】
【００２０】
以下、図面を参照して本発明の実施の形態について説明する。
【００２１】
図１は、本実施形態におけるシステムの構成を示す図である。図１は、本発明を書画カメラ装置、パーソナルコンピュータ（ＰＣ）、及びデータプロジェクタ装置からなる撮像投影システムに適用した例を示している。
【００２２】
図１に示す撮像投影システムは、書画カメラ装置１とＰＣ２とがＵＳＢ（Universal Serial Bus）ケーブル４で接続され、書画カメラ装置１でその書画台１ａ上に載置された書類の画像が常時撮影され、デジタル値の画像信号としてＵＳＢケーブル４を介し、アイソクロナス転送によりリアルタイムにＰＣ２に送られる。
【００２３】
ＰＣ２は、書画カメラ装置１に付属している記録媒体、例えばＣＤ−ＲＯＭ６によりこの書画カメラ装置１用のドライブプログラムを予めインストールしており、同プログラムを実行することにより、書画カメラ装置１から送られてくる画像信号に対応したアナログ値の画像信号を生成し、ＲＧＢケーブル５を介してデータプロジェクタ装置３へ送出する。
【００２４】
データプロジェクタ装置３は、例えばマイクロミラー素子を用いて送られてきた画像信号に対応する光像を形成し、投影対象となるスクリーンに各種画像を投影表示する。
【００２５】
図２は、書画カメラ装置１の回路構成を示すものである。同図で、後述するスルー表示モード時に、モータ（Ｍ）１１の駆動によりズーム画角や絞り位置等が移動される、レンズ光学系１２の撮影光軸後方に撮像素子であるＣＣＤ１３が配置される。ＣＣＤ１３は、タイミング発生器（ＴＧ）１４、垂直ドライバ１５によって走査駆動され、一定周期毎に結像した光像に対応する光電変換出力を１画面分出力する。
【００２６】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒ（ＹＵＶ信号）が生成され、ＤＭＡ（Direct Memory Access）コントローラ１９に出力される。
【００２７】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００２８】
制御部２２は、ＣＰＵと、このＣＰＵで実行される動作プログラムを固定的に記憶したＲＯＭ、及びワークメモリとして使用されるＲＡＭ等により構成され、この書画カメラ装置１全体の制御動作を司るもので、輝度及び色差信号のＤＲＡＭ２１へのＤＭＡ転送終了後に、この輝度及び色差信号（ＹＵＶ信号）をＤＲＡＭインタフェース２０を介してＤＲＡＭ２１より読出し、ＵＳＢインタフェース（Ｉ／Ｆ）２３へ送出する。
【００２９】
ＵＳＢインタフェース２３は、輝度及び色差信号をＵＳＢ規格に則ってアイソクロナス転送によりＵＳＢケーブル４を介してリアルタイムにＰＣ２に送出する。
【００３０】
なお、ＰＣ２からＵＳＢインタフェース２３を介して撮影指示を受信すると、制御部２２はその時点でＣＣＤ１３から取込んでいる１画面分の輝度及び色差信号のＤＲＡＭ２１へのＤＭＡ転送を取り止め、あらためて適正な露出条件に従った絞り値及びシャッタ速度と解像度でＣＣＤ１３を走査駆動して１画面分の輝度及び色差信号を得てＤＲＡＭ２１へ転送する。
【００３１】
このＤＲＡＭ２１に転送された１フレーム分の輝度及び色差信号をＤＲＡＭインタフェース２０を介してＵＳＢインタフェース２３へ送出し、あらためてＵＳＢインタフェース２３がこれらの信号をＰＣ２へ送出する。このＰＣ２への画像信号の送出後、再び制御部２２はスルー表示状態に復帰して、ＣＣＤ１３からＤＲＡＭ２１への経路を再び起動する。
【００３２】
なお、制御部２２にはキー入力部２４が接続されるもので、このキー入力部２４を構成する電源キー等のキー操作信号は直接制御部２２に入力される。
【００３３】
次に、図３によりＰＣ２の構成について説明する。図３は、ＰＣ２のハードウェア構成を示すものであり、各種処理制御を司るＣＰＵ３１とフロントサイドバスＦＳＢを介してノースブリッジ３２が接続される。
【００３４】
ノースブリッジ３２は、さらにメモリバスＭＢを介してメインメモリ３３と、またグラフィクスインタフェースＡＧＰを介してグラフィックコントローラ３４及びグラフィックメモリ３５と接続される他、サウスブリッジ３６とも接続され、主としてこれらの間での入出力制御を実行する。
【００３５】
サウスブリッジ３６は、ＰＣＩバス３７、キーボード／マウス３８、ビデオエンコーダ３９、ＵＳＢインタフェース４０、マルチＣＤドライブ４１、ハードディスク装置（ＨＤＤ）４２と接続され、主としてこれら周辺回路とノースブリッジ３２との間の入出力制御を行なう。
【００３６】
なお、これらＰＣ２を構成する個々の要素は、きわめて一般的な技術であるのでその説明は省略するものとする。
【００３７】
なお、ビデオエンコーダ３９は、与えられたデジタル値の画像信号からアナログ値の画像信号であるＲＧＢビデオ信号を生成して出力する。
【００３８】
ＨＤＤ４２は、ＯＳ（オペレーティングシステム）や各種アプリケーションプログラム、データファイルと共に、マルチＣＤドライブ４１に上記ＣＤ−ＲＯＭ６を装着してインストールした書画カメラ装置１用のドライブプログラムを予め記憶している。
【００３９】
次に、図４を用いてデータプロジェクタ装置３の回路構成について説明する。  
図中、入出力コネクタ部５１より入力されたＲＧＢビデオ信号を含む各種規格の画像信号が、入出力インタフェース（Ｉ／Ｆ）５２、システムバスＳＢを介して画像変換部５３で所定のフォーマットの画像信号に統一された後に、ＲＡＭ７１に記憶される。また、画像変換部５３により、ＲＡＭ７１に記憶された画像信号に対して色調や明るさなどを含む各種の映像調整を実行し、その映像調整した後の画像信号をＲＡＭ７１に記憶させることができる。後述するジャストカラーセレクト機能を実行する場合には、ユーザに所望する映像調整を選択させるための異なる調整レベルで調整された複数の画像を含む画像一覧用の画像を生成してＲＡＭ７１に記憶させる。
【００４０】
ＲＡＭ７１に記憶された画像信号は、投影エンコーダ５４へ送られる。投影エンコーダ５４は、送られてきた画像信号をビデオＲＡＭ５５に展開記憶させた上でこのビデオＲＡＭ５５の記憶内容からビデオ信号を生成して投影駆動部５６に出力する。
【００４１】
投影駆動部５６は、送られてきた画像信号に対応して適宜フレームレート、例えば例えば１２０［フレーム／秒］と色成分の分割数、及び表示階調数を乗算した、より高速な時分割駆動で空間的光変調素子（ＳＯＭ）である例えばマイクロミラー素子５７を表示駆動する。
【００４２】
このマイクロミラー素子５７に対して、リフレクタ５８内に配置された光源ランプ５９が出射する高輝度の白色光を、カラーホイール６０を介して適宜原色に着色し、インテグレータ６１、ミラー６２を介して照射することで、その反射光で光像が形成され、投影レンズ６３を介してここでは図示しないスクリーンに投影表示される。
【００４３】
しかるに、光源ランプ５９の点灯駆動と、カラーホイール６０を回転駆動するモータ（Ｍ）６４はいずれも投影光処理部６５からの供給電圧値に基づいて動作する。
【００４４】
上記各回路のすべての動作制御を司るのが制御部６６である。この制御部６６は、ＣＰＵと、後述する投影動作、撮影動作の処理を含む該ＣＰＵで実行される動作プログラムを記憶した不揮発性メモリ、及びワークメモリ等により構成される。動作プログラムには、ジャストカラーセレクト機能を実行するための映像調整プログラムが含まれている。また、各種メニュー表示用の画像データが記憶されている。
【００４５】
制御部３５にはまた、システムバスＳＢを介して音声処理部６７が接続される。  
音声処理部６７は、ＰＣＭ音源等の音源回路を備え、投影動作時に与えられる音声データをアナログ化し、スピーカ６８を駆動して拡声放音し、あるいは必要によりビープ音を発生させる。
【００４６】
なお、このデータプロジェクタ装置３に備えられるキースイッチ部６９における各キー操作信号が直接制御部６６に入力されると共に、Ｉｒ受信部７０からの信号も直接入力される。このＩｒ受信部７０は、データプロジェクタ装置３の前面及び背面にそれぞれ設けられるもので、その赤外光受信信号をコード信号化して制御部６６に送出する。
【００４７】
次に、本実施形態におけるデータプロジェクタ装置３において実行されるジャストカラーセレクト機能の動作について、図５に示すフローチャートを参照しながら説明する。
【００４８】
ここでは、書画カメラ装置１によって書画台１ａに載置された資料の画像を撮影し、この画像をＰＣ２を介してデータプロジェクタ装置３に送信して投影させる場合について説明する。
【００４９】
書画カメラ装置１からＰＣ２へは、所定のフレームレート、例えば３０［フレーム／秒］で、画素数を間引いた例えばＱＶＧＡ（３２０ドット×２４０ドット）のモニタ画像の画像信号が入力され続ける。本実施形態においては、ＰＣ２は、書画カメラ装置１から入力された画像信号をスルーしてデータプロジェクタ装置３に送出する。
【００５０】
データプロジェクタ装置３は、入出力コネクタ部５１を介してＰＣ２から送出された画像信号を入力すると（ステップＡ１）、画像変換部５３で所定のフォーマットの画像信号に変換した後にＲＡＭ７１に記憶する（ステップＡ２）。
【００５１】
データプロジェクタ装置３は、ＲＡＭ７１に記憶された画像信号を、投影エンコーダ５４へ送りビデオＲＡＭ５５に展開記憶させた上で、このビデオＲＡＭ５５の記憶内容からビデオ信号を生成して投影駆動部５６に出力する。
【００５２】
投影駆動部５６は、送られてきた画像信号に対応して、所定のフレームレートでマイクロミラー素子５７を表示駆動し、光源ランプ５９から高輝度の白色光をカラーホイール６０、インテグレータ６１、ミラー６２を介して照射することで、投影レンズ６３を介してスクリーンに画像を投影表示させる（ステップＡ３）。図６（ａ）には、スクリーンに投影された画像の一例を示している。
【００５３】
ここで、キースイッチ部６９に設けられた所定のキーに対する操作によりメニュー表示が指示されると（ステップＡ４、Ｙｅｓ）、制御部６６は、ジャストカラーセレクト機能を実行させるための「色調選択」の項目を含むメニューを投影画像中の所定の位置に表示させる（ステップＡ５）。
【００５４】
図６（ｂ）には、投影画像に重ね合わせてメニューを表示させた画像の一例を示している。
【００５５】
ここで、「色調選択」の項目が選択されると（ステップＡ６、Ｙｅｓ）、制御部６６は、投影される画像に対する映像調整の対象項目を選択するための色調選択メニューを投影画像中の所定の位置に表示させる（ステップＡ７）。
【００５６】
図６（ｃ）には、投影画像に重ね合わせて色調選択メニューを表示させた画像の一例を示している。図６（ｃ）に示す色調選択メニューには、画像の明るさの調整を指示するために「明るく」「暗く」の項目が含まれており、色調整（ガンマカーブ変更の中心）の基本色として「レッド」「シアン」「グリーン」「マゼンタ」「ブルー」「イエロー」の項目が設けられている。なお、この色調選択メニューに含まれる項目は一例であって、その他の映像調整の対象とする任意の項目が含まれるようにしても良い。
【００５７】
ここで、色調選択メニューから基本色または明暗の項目を選択する指示が、キースイッチ部６９に設けられたキー操作によって入力されると（ステップＡ８、Ｙｅｓ）、制御部６６は、この指示された項目を選択して、画像変換部５３により、この項目に対応する映像調整を投影対象とする画像に対して異なる調整レベルで施した画像一覧用の複数の画像を生成させる（ステップＡ９）。
【００５８】
例えば、基本色の項目が指示された場合には、この基本色を中心にガンマカーブを変更する色調整を実行するものとし、投影対象となっている元の画像に対して基本色を所定の調整レベルにした場合の他の色のガンマカーブを変更した複数の画像を生成させる。
【００５９】
画像変換部５３は、ＲＡＭ７１に記憶された投影対象とする元画像の画像信号に対して、映像調整の処理を施すと共に一覧表示するために縮小して複数の画像を生成し、その複数の画像を含む画像一覧用の画像信号をＲＡＭ７１に記憶させる。
【００６０】
本実施形態では、画像一覧を投影する場合には、９枚の画像を一覧表示させるものとするので（図７参照）、元画像の１／９のサイズの映像調整された画像を生成する。
【００６１】
制御部６６は、画像変換部５３により生成された画像一覧用の画像信号を、投影エンコーダ５４へ送る。投影エンコーダ５４は、送られてきた画像一覧用の画像信号をビデオＲＡＭ５５に展開記憶させ、ビデオＲＡＭ５５の記憶内容からビデオ信号を生成して投影駆動部５６に出力する。
【００６２】
投影駆動部５６は、送られてきた画像信号に応じてマイクロミラー素子（ＳＯＭ）５７を表示駆動し、画像一覧をスクリーンに投影させる（ステップＡ１０）。
【００６３】
図７（ａ）には、複数（ここでは９枚）の異なる調整レベルの色調調整がされた画像が一覧表示されている例を示している。図７（ａ）に示すように、画像一覧では、図６（ａ）に示す投影対象としている実際の画像に対して色調調整された画像が表示されているため、例えば所望する良い色が表現されている画像を容易に確認することができる。
【００６４】
画像一覧中では、画像を選択指定するための選択枠が設けられている。図７（ａ）に示す初期状態では、中央に配置されている画像に選択枠が位置している。この選択枠は、キースイッチ部６９に設けられた上下左右を示すキー（カーソルキー）に対する操作によって移動させることができる。
【００６５】
制御部６６は、ユーザによりカーソルキーが操作されると、指示された方向に選択枠を移動させる。図７（ｂ）は、左中央の画像に選択枠が移動された状態を示している。
【００６６】
こうして、ユーザ操作により所望する色調整がされた画像に選択枠が移動され、キースイッチ部６９の確定を指示するためのキーが操作されると（ステップＡ１１、Ｙｅｓ）、制御部６６は、その時の選択枠が位置している画像を選択し、この選択された画像に対して施されている映像調整の内容を不揮発性の記憶装置（図示せぬフラッシュメモリなど）に設定記憶しておく（ステップＡ１２）。
【００６７】
ここで記憶される映像調整の設定内容は、別の画像を投影する場合に利用される。例えば、ここでの設定内容については、ユーザ指示によりデフォルトに戻す、あるいは前述と同様にして別の画像を対象とした映像調整の操作によって新たな設定がされるまで記憶しておく。そして、ＰＣ２から入力される画像信号に対して、この設定内容に応じた映像調整を施して画像を投影する。
【００６８】
また、撮像投影システム（データプロジェクタ装置３）の使用環境に応じて、以前に設定された設定内容により映像調整することができるように、例えば映像調整の設定内容に対応付けて任意の名称（ファイル名、データ名など）を登録できるようにしても良い。この名前は、データプロジェクタ装置３側で自動で付けても良いし、ユーザがキースイッチ部６９に対する操作によって任意に登録できるようにしても良い。
【００６９】
これにより、以前と同じ使用環境下で画像を投影する場合、その時に設定記憶してある映像調整の設定内容を、この設定内容に対応付けて登録してある名称をもとに読み出して使用する。従って、前述したような、画像一覧を投影させて所望する映像調整が施された画像を選択する作業を毎回行う必要もなくなる。
【００７０】
こうして、映像調整の内容が設定記憶されると、制御部６６は、画像変換部５３に対して、この映像調整の内容に応じて投影対象としている元画像に対して映像調整を実行させる。この結果、ユーザが所望する調整レベルに応じて映像調整が施された画像がスクリーンに投影される（ステップＡ１３）。
【００７１】
例えば、図７（ｂ）に示す画像一覧中で左中央の画像がユーザにより指定された場合には、この縮小された画像に対して施されている映像調整を、図６（ａ）に示す元の画像に対して施すことにより、図７（ｃ）に示すように、ユーザが所望している映像調整が施された画像を投影することができる。
【００７２】
このようにして、本実施形態におけるデータプロジェクタ装置３では、ＰＣ２から入力された投影対象とする画像信号に対して、ユーザが選択した色調調整の対象とする項目に応じて、異なる調整レベルにより調整を施した複数の画像を一覧投影することで、その使用環境下において所望する色や明るさに調整がされた画像を確認して選択することができる。そして、この選択された画像に対して施された映像調整が投影対象とする画像に対して反映されて投影されるので、映像調整に慣れていない場合であっても簡単に所望する映像調整をすることができる。
【００７３】
なお、前述した説明では、書画カメラ装置１によって撮影された画像を投影させる場合について説明しているが、ＰＣ２のＨＤＤ４２に記憶されている各種アプリケーションによって処理される画像を投影する場合にも、同様にして映像調整することができる。
【００７４】
また、前述した説明では、データプロジェクタ装置３にジャストカラーセレクト機能が設けられているとして説明しているが、書画カメラ装置１あるいはＰＣ２にジャストカラーセレクト機能を設けて実行させることができる。
【００７５】
すなわち、書画カメラ装置１にジャストカラーセレクト機能を設ける場合、制御部２２に映像調整プログラムを記憶させる。書画カメラ装置１は、キー入力部２４から対するユーザの操作によってジャストカラーセレクト機能の実行が指示された場合に、撮影によって得られた画像を対象として処理を実行する。この場合、書画カメラ装置１は、ユーザにより選択された映像調整の対象項目について調整レベルを変更した複数の画像を含む、図７（ａ）（ｂ）に示す画像を生成してその画像の画像信号を送出する。これにより、データプロジェクタ装置３において複数の画像を一覧表示することができる。この一覧表示された複数の画像からは、書画カメラ装置１のキー入力部２４に対する操作により何れかを指定することができる。書画カメラ装置１は、ユーザからの指定により何れかの画像を選択すると、この画像に対する色調整に応じて出力対象とする画像に対する色調整を実行し、この画像の画像信号を出力する。
【００７６】
また、ＰＣ２にジャストカラーセレクト機能を設ける場合、例えばＣＤ−ＲＯＭ６により映像調整プログラムを予めインストールしてＨＤＤ４２に記憶させておく。ＰＣ２は、キーボード／マウス３８に対するユーザの操作によってジャストカラーセレクト機能の実行が指示された場合に、書画カメラ装置１から入力された画像、あるいはＨＤＤ４２に記憶された投影対象とする画像を対象として処理を実行する。この場合、ＰＣ２１は、ユーザにより選択された映像調整の対象項目について調整レベルを変更した複数の画像を含む、図７（ａ）（ｂ）に示す画像を生成して画像信号を送出する。これにより、データプロジェクタ装置３において複数の画像を一覧表示することができる。この一覧表示された複数の画像からは、ＰＣ２のキーボード／マウス３８に対する操作により何れかを指定することができる。ＰＣ２は、ユーザからの指定により何れかの画像を選択すると、この画像に対する色調整に応じて出力対象とする画像に対する色調整を実行し、この画像の画像信号を出力する。
【００７７】
なお、前述した実施形態では、色調調整において基本色を中心としたガンマカーブを変更した画像、あるいは明るさを変更した画像を複数生成して一覧投影するものとしているが、映像調整の対象はこれ以外にも、例えばシャープネス、コントラスト、色の濃さ、色あい、墨絵調、ぼかし等の各調整を対象とすることができる。この場合、それぞれの映像調整についてメニュー中に項目を設け、前述と同様にして任意に指定することで、それぞれの項目に対応する映像調整を、投影対象とする画像に対して異なる調整レベルで施すことで複数の画像を生成して一覧投影すれば良い。
【００７８】
また、前述した説明では、メニュー中から選択された１つの項目についての映像調整を調整レベルを変えることで複数の画像を生成するとしているが、複数の項目をユーザにより指定され、この指定された複数の項目についての映像調整を組み合わせて画像に施して一覧表示させるようにしても良い。これにより、複数の項目についての映像調整を組み合わせないと所望する画像を投影できない場合であっても、簡単に所望する映像調整がされた画像を得ることができる。
【００７９】
また、前述した説明では、映像調整を異なる調整レベルで施した複数の画像を、図７（ａ）（ｂ）に示すように、一覧にして投影するものとして説明しているが、例えば一定時間毎あるいはユーザからの指示に応じて、順次、投影対象とする画像を１枚毎で切り替えるようにしても良い。この場合、所望する映像調整が施された画像が投影されている時に選択指示を入力することで、画像を選択することができる。
【００８０】
また、図７（ａ）（ｂ）では、画像一覧中の画像数を９枚としているがこれに限るものではない。また、一覧表示される画像数をユーザが予め設定できるようにしても良い。さらに、画像一覧表示を例えば一定時間毎あるいはユーザからの指示に応じて、順次、切り替えるようにすることで、より多くの映像調整された画像を投影させ、その中から所望する画像を選択できるようにしても良い。
【図面の簡単な説明】
【００８１】
【図１】本発明の実施形態におけるシステムの構成を示す図。
【図２】本実施形態における書画カメラ装置１の回路構成を示すブロック図。
【図３】本実施形態におけるＰＣ２の構成について説明するためのブロック図。
【図４】本実施形態におけるデータプロジェクタ装置３の回路構成について説明するためのブロック図。
【図５】本実施形態におけるジャストカラーセレクト機能の動作について説明するためのフローチャート。
【図６】本実施形態におけるジャストカラーセレクト機能を実行する際に投影される画像の一例を示す図。
【図７】本実施形態におけるジャストカラーセレクト機能を実行する際に投影される画像の一例を示す図。
【符号の説明】
【００８２】
１…書画カメラ装置、１ａ…書画台、２…パーソナルコンピュータ（ＰＣ）、３…データプロジェクタ装置、４…ＵＳＢケーブル、５…ＲＧＢケーブル、６…ＣＤ−ＲＯＭ、１１…モータ（Ｍ）、１２…レンズ光学系、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース、２１…ＤＲＡＭ、２２…制御部、２３…ＵＳＢインタフェース（Ｉ／Ｆ）、２４…キー入力部、３１…ＣＰＵ、３２…ノースブリッジ、３３…メインメモリ、３４…グラフィックコントローラ、３５…グラフィックメモリ、３６…サウスブリッジ、３７…ＰＣＩバス、３８…キーボード／マウス、３９…ビデオエンコーダ、４０…ＵＳＢインタフェース（Ｉ／Ｆ）、４１…マルチＣＤドライブ、４２…ハードディスク装置（ＨＤＤ）、５１…入出力コネクタ部、５２…入出力インタフェース（Ｉ／Ｆ）、５３…画像変換部、５４…投影エンコーダ、５５…ビデオＲＡＭ、５６…投影駆動部、５７…マイクロミラー素子、５８…リフレクタ、５９…光源ランプ、６０…カラーホイール、６１…インテグレータ、６２…ミラー、６３…投影レンズ、６４…モータ（Ｍ）、６５…投影光処理部、６６…制御部、６７…音声処理部、６８…スピーカ、６９…キースイッチ部、７０…Ｉｒ受信部、７１…ＲＡＭ。
【図１】
2006293087.tif 000003
【図２】
2006293087.tif 000004
【図３】
2006293087.tif 000005
【図４】
2006293087.tif 000006
【図５】
2006293087.tif 000007
【図６】
2006293087.tif 000008
【図７】
2006293087.tif 000009